【事件の表示】
　特願２００６−２８７６２３「表示素子モジュール及びその製造方法」拒絶査定不服審判事件〔平成１９年１１月１５日出願公開、特開２００７−２９８９３８〕について、次のとおり審決する。
【結　論】
　本件審判の請求は、成り立たない。
【理　由】
第１　手続の経緯
　本願は、平成１８年１０月２３日（優先権主張２００６年４月２８日、韓国）を出願日とする出願であって、平成２３年１１月８日付けで手続補正がなされた後に、平成２４年１月３１日付けで拒絶査定がなされた。
　本件は、これを不服として、同年３月１９日に請求された拒絶査定不服審判であって、請求と同時に手続補正がなされ、その後、当審において同年１０月３０日付けで審尋を行ったところ、平成２５年１月２３日付けで回答書が提出された。
　
第２　平成２４年３月１９日付けの手続補正についての補正の却下の決定
　［補正の却下の決定の結論］
　平成２４年３月１９日付けの手続補正（以下「本件補正」という。）を却下する。
　［理由］
１　補正の内容
　本件補正は、特許請求の範囲及び明細書を補正するものであって、そのうち特許請求の範囲の請求項１４の補正は、補正前（平成２３年１１月８日付けで補正、以下同様。）の
「【請求項１４】
　基板上に形成され、第１電極及び第２電極の交差領域に形成された少なくとも一つの発光領域を含むピクセル回路部と、
　前記第１電極の第１終端に接続された少なくとも一つの第１配線と、
　前記第１電極の第２終端に接続された少なくとも一つの第１補助配線と、
　終端に連結棒が形成された少なくとも一つの第２補助配線と、
　前記ピクセル回路部の第２電極に接続された少なくとも一つの第２配線と、
　ピクセル回路部及び他の配線と接触しないように配置され、終端に連結棒が形成された少なくとも一つのダミー配線と
を含み、
　前記少なくとも一つの第２補助配線は、前記第２補助配線の連結棒から延長され、隣接するパネルの第１電極に接続する
むことを特徴とする表示素子モジュール。」を
「【請求項１４】
　基板上に形成され、第１電極及び第２電極の交差領域に形成された少なくとも一つの発光領域を含むピクセル回路部と、
　前記第１電極の第１終端に接続された少なくとも一つの第１配線と、
　前記第１電極の第２終端に接続された少なくとも一つの第１補助配線と、
　
前記仮想スクライブラインにより区分された前記母基板の各領域内において、
１つの
だけ
　前記ピクセル回路部の第２電極に接続された少なくとも一つの第２配線と、
　
前記仮想スクライブラインにより区分された前記母基板の各領域内において、
を含み、
　前記少なくとも一つの第２補助配線は、前記第２補助配線の連結棒から延長され、隣接するパネルの第１電極に接続する
ことを特徴とする表示素子モジュール。」と補正するものである。
　
２　補正の目的についての検討
　上記本件補正は、補正前の請求項１４に係る発明の発明特定事項である「少なくとも一つの第２補助配線」の「終端に連結棒が形成された」箇所が、「仮想スクライブラインにより区分された前記母基板の各領域内」とする補正、補正前の請求項１４に係る発明の発明特定事項である「少なくとも一つの第２補助配線」の「終端に」「形成された」「連結棒」が「１つ」「だけ」とする補正、補正前の請求項１４に係る発明の発明特定事項である「少なくとも一つのダミー配線」が「配置され、」かつ、その「終端に連結棒が形成され」る箇所が「仮想スクライブラインにより区分された前記母基板の各領域内」とする補正である。
　そして、これらの補正事項は、明らかに特許請求の範囲を限定して減縮するものである。
　したがって、本件補正は、平成１８年法律第５５号改正附則第３条第１項によりなお従前の例によるとされる同法による改正前の特許法（以下単に「平成１８年改正前特許法」という。）第１７条の２第４項第２号に掲げる特許請求の範囲の減縮を目的とする補正を含むものである。
　そこで、本件補正後の請求項１４に係る発明（以下「本件補正発明」という。）が平成１８年改正前特許法第１７条の２第５項において準用する同法第１２６条第５項の規定に適合するか、すなわち、特許出願の際独立して特許を受けることができるものであるか否かについて、以下検討する。
　
３　本件補正発明
　本件補正発明は、本件補正後の特許請求の範囲の請求項１４に記載された上記のとおりのものである。
　
４　引用刊行物
（１）引用刊行物１
　これに対して、原査定の拒絶の理由に引用された、本願の優先日前である平成１７年６月２３日に頒布された「特開２００５−１６４６７９号公報 」（以下「引用例１」という。）には、次の事項が記載されている。（引用例１記載の発明の認定に関係する箇所に、当審で下線を付した。）
ａ　発明の詳細な説明の記載
「【技術分野】
【０００１】
　本発明は、効率的なエージング処理を行うことができる有機ＥＬ表示装置に関する。」
「【発明を実施するための最良の形態】
【００２６】
　以下、本発明の実施の形態を図面を参照して説明する。図１は、本発明の有機ＥＬ表示装置１００を示す平面図である。図２は、１枚のガラス基板上に形成されている複数の有機ＥＬ表示装置を示す平面図である。なお、本実施の形態では、陽極配線をデータ電極とし、陰極配線を走査電極とするが、陰極配線をデータ電極とし、陽極配線を走査電極としてもよい。
【００２７】
　図１に示すように、有機ＥＬ表示装置１００には、有機ＥＬ表示素子７と１チップＬＳＩであるドライバＩＣ８とが実装されている。ドライバＩＣ８には、走査電極２を駆動する走査電極駆動回路と、データ電極１を駆動するデータ電極駆動回路とが内蔵されている。
ドライバＩＣ８のデータ出力端子と各データ電極（本実施の形態では陽極配線）１とはデータ電極引き回し配線（本実施の形態では陽極配線引き回し配線）１０で接続され
ドライバＩＣ８の走査出力端子と各走査電極（本実施の形態では陰極配線）２とは走査電極引き回し配線（本実施の形態では陰極配線引き回し配線）１１で接続され
【００２８】
　有機ＥＬ表示装置を作製するときに、図２に示すように、
１枚のガラス基板上に複数の有機ＥＬ表示装置が形成され
【００２９】
　有機ＥＬ表示装置１００における各
データ電極１は、
データ電極接続配線５によって、有機ＥＬ表示装置１００の上辺
を介して第１の共通配線３に接続され
【００３０】
　なお、図１に示すように、それぞれの走査電極接続配線６は、走査電極２に直接接続されるのではなく、走査電極引き回し配線１１に接続されている。すなわち、走査電極接続配線６は、走査電極引き回し配線１１を介して走査電極２に電気的に接続される。
【００３１】
　第１の共通配線３とデータ電極接続配線５との接続は、切断工程において分断される。また、第２の共通配線４と走査電極接続配線６の接続も、切断工程において分断される。
【００３２】
　なお、図２では、走査電極引き回し配線１１は記載省略されている。また、記載が煩雑になることを避けるために、図１および図２において、データ電極、走査電極、データ電極接続配線、走査電極接続配線およびデータ電極引き回し配線について、多数存在するうちの１つまたは２つにのみ符号が付されている。
【００３３】
　図７を参照して説明したように、ガラス基板上における切断工程後に廃棄される部位で、すなわち最終的に得られる有機ＥＬ表示装置１００の外部で、走査電極接続配線６を介して全ての走査電極引き回し配線１１を電気的に接続することを意図した場合に、有機ＥＬ表示装置１００において内側（有機ＥＬ表示装置１００の四辺よりも中央側）に配線されている走査電極引き回し配線１１からの走査電極接続配線６は、外側に配線されている走査電極引き回し配線１１に阻止されて有機ＥＬ表示装置１００の左右の辺まで延びることができない。」
「【００６０】
　さらに、図５のレイアウト図に示すように、データ電極接続配線部３１および走査電極接続配線部３２をＩＴＯで形成することが好ましい。切断される前のガラス基板上において、図５に示す有機ＥＬ表示装置１００を含む部分の下に位置する部分（図５において図示せず。非図示部分という。）に形成されている
データ電極（図５において図示せず）は、
データ電極接続配線と
データ電極接続部３１とを介して第１の共通配線３に接続され
【００６１】
　なお、図５は、切断後の１つの有機ＥＬ表示装置１００内のレイアウトを示しているが、図５の記載からわかるように、有機ＥＬ表示装置１００に残る第１の共通配線３の部分および第２の共通配線４の部分は、有機ＥＬ表示装置１００内において、データ電極接続配線５および走査電極接続配線６から分離する。また、図５では、データ電極接続配線５、走査電極接続配線６、入力信号線９、データ電極引き回し配線１０、走査電極引き回し配線１１、走査電極接続配線部３１およびデータ電極接続配線部３２は、それぞれ、領域として図示されている。」
「【００７４】
【図１】本発明の有機ＥＬ表示装置を示す平面図。
【図２】１枚のガラス基板上に形成されている複数の有機ＥＬ表示装置を示す平面図。
・・・（略）・・・
【図５】有機ＥＬ表示装置における配線を示すレイアウト図。」
　
ｂ　図面の記載
「【図１】
　　　　　　　　　　　　　　　　　　　　　　　　　　　　　　」
「【図２】
　　　　　　　　　　　　　　　　　　　　　　　　　　　　　　」
「【図５】
　　　　　　　　　　　　　　　　　　　　　　　　　　　　　　」
　引用例１の図２に開示された有機ＥＬ表示装置１００の内容からして、
有機ＥＬ表示素子７の領域において、データ電極１及び走査電極２が交差
　また、引用例１の図５に開示された有機ＥＬ表示装置１００における配線を示すレイアウト図の内容からして、
有機ＥＬ表示装置１００の領域において、第１の共通配線３とデータ電極接続配線部３１が接続され
　
ｃ　発明の詳細な説明及び図面の記載の考察
（ア）引用例１の【００２９】には、「データ電極１は、・・・・・データ電極接続配線５によって、有機ＥＬ表示装置１００の上辺・・・・を介して第１の共通配線３に接続される」ことが、同【００６０】には、「データ電極・・・・・は、・・・・・データ電極接続配線と・・・・データ電極接続部３１とを介して第１の共通配線３に接続される」（この記載中、「データ電極接続部３１」は「データ電極接続配線部３１」の誤記であると認められる。）ことが記載されている。
　一方、引用例１の図２には４つの有機ＥＬ表示装置が記載されているにすぎないが、技術常識を考慮すると、この有機ＥＬ表示装置は、１枚のガラス基板上に同じ配線レイアウトの有機ＥＬ表示装置が多数形成されていると認められる。
　そうすると、上記【００２９】及び【００６０】の記載は、当該「有機ＥＬ表示装置１００の上辺」箇所のみならず、当該有機ＥＬ表示装置１００の下辺箇所においても同様の接続となっていると認められるから、引用例１には、
第１の共通配線３は有機ＥＬ表示装置１００の下辺を介して、データ電極接続配線５及びデータ電極接続配線部３１によってデータ電極１に接続され
　
（イ）引用例１の図５の有機ＥＬ表示装置１００のレイアウト図において、有機ＥＬ表示装置１００の左端の第１の共通配線３及び第２の共通配線４よりも左側に示された細い線、及び、有機ＥＬ表示装置１００の右側の第１の共通配線３及び第２の共通配線４の間に示された細い線が、技術常識からみて、有機ＥＬ表示装置１００の切断線であると認められる。
　また、図５の有機ＥＬ表示装置１００の右端の上記切断線の外側で、第２の共通配線４と走査電極接続配線６が接続されているが、有機ＥＬ表示装置１００が上記切断線で切断されることを考慮すると、この接続箇所は、当該有機ＥＬ表示装置１００の領域内のものではなく、当該有機ＥＬ表示装置１００の右隣の有機ＥＬ表示装置の領域内のものであると認められる。
　そうすると、図５の有機ＥＬ表示装置１００の左端には、図５で示された走査電極接続配線６の下に、当該有機ＥＬ表示装置１００の左隣の有機ＥＬ表示装置から伸び、各有機ＥＬ表示装置１００の切断により切断され、当該
有機ＥＬ表示装置１００の領域内に残る走査電極接続配線６が第２の共通配線４に接続され
　また、図５の記載からみて、当該
有機ＥＬ表示装置１００の領域内に残る走査電極接続配線６は、有機ＥＬ表示素子７及び他の配線と接触しない
　
ｄ　引用例１記載の発明
　上記ａ及びｂの記載事項及び上記ｃの考察によると、引用例１には、以下の発明（以下「引用発明」という。）が記載されていると認められる。
「１枚のガラス基板上形成される複数の有機ＥＬ表示装置であって、
有機ＥＬ表示素子７の領域において、データ電極１及び走査電極２が交差し、
ドライバＩＣ８のデータ出力端子と各データ電極１とはデータ電極引き回し配線１０で接続され、
データ電極１は、データ電極接続配線５によって、有機ＥＬ表示装置１００の上辺を介して第１の共通配線３に接続され、
有機ＥＬ表示装置１００の領域において、第１の共通配線３とデータ電極接続配線部３１が接続され、
ドライバＩＣ８の走査出力端子と各走査電極２とは走査電極引き回し配線１１で接続され、
有機ＥＬ表示装置１００の領域内に残る走査電極接続配線６が、第２の共通配線４に接続され、有機ＥＬ表示素子７及び他の配線と接触せず、
第１の共通配線３は有機ＥＬ表示装置１００の下辺を介して、データ電極接続配線５及びデータ電極接続配線部３１によってデータ電極１に接続される
有機ＥＬ表示装置。」
　
（２）引用刊行物２
　また、原査定の拒絶の理由に引用された、本願の優先日前である平成１７年６月３０日に頒布された「特開２００５−１７３２９９号公報 」（以下「引用例２」という。）には、次の事項が記載されている。
ａ　発明の詳細な説明の記載
「【技術分野】
【０００１】
　本発明は、効率的なエージング処理を行うことができる有機ＥＬ表示装置に関する。」
「【００２５】
　図１に示すように、有機ＥＬ表示装置１００の矩形の基板には、有機ＥＬ表示素子（表示面）７と１チップＬＳＩであるドライバＩＣ８とが実装されている。すなわち、本実施の形態の有機ＥＬ表示装置１００は、矩形の基板上に、有機ＥＬ表示素子７と駆動回路とが実装されるＣＯＧ（チップ・オン・グラス）実装によって作製されるものである。
【００２６】
　ドライバＩＣ８には、走査電極２を駆動する走査電極駆動回路と、データ電極１を駆動するデータ電極駆動回路とが内蔵されている。ドライバＩＣ８のデータ出力端子と各データ電極（本実施の形態では陽極配線）１とはデータ電極引き回し配線（本実施の形態では陽極配線引き回し配線）１０で接続されている。ドライバＩＣ８の走査出力端子と各走査電極（本実施の形態では陰極配線）２とは走査電極引き回し配線（本実施の形態では陰極配線引き回し配線）１１で接続されている。
【００２７】
　ドライバＩＣ８には、有機ＥＬ表示装置１００の外から、有機ＥＬ表示装置１００の下辺（四辺のうち図１において下側に図示されている辺）の近傍に形成されている入力信号線９によって、表示データに応じた信号や電力が供給される。また、ドライバＩＣ８の裏面における左辺の近傍に、走査電極引き回し配線１１を接続するための接続用パッド（図示せず）が設けられ、ドライバＩＣ８の裏面における上辺（四辺のうち図１において上側に図示されている辺）の近傍に、データ電極引き回し配線を接続するための接続用パッド（図示せず）が設けらている。すなわち、ドライバＩＣ８は表面実装型のＩＣである。
【００２８】
  有機ＥＬ表示装置を作製するときに、図２に示すように、１枚のガラス基板上に複数の有機ＥＬ表示装置が形成される。また、ガラス基板上に、データ電極用のエージング用共通配線としての第１の共通配線３の配線パターンと、走査電極用のエージング用共通配線としての第２の共通配線４の配線パターンとが形成される。
【００２９】
　有機ＥＬ表示装置１００における各データ電極１は、第１のエージング接続用配線としてのデータ電極接続配線５によって、有機ＥＬ表示装置１００の上辺（四辺のうち入力信号線９の端部が存在する辺と反対側の辺）を介して第１の共通配線３に接続される。全ての第１の共通配線３は、ガラス基板上の図２の図示範囲外の部分で電気的に接続される。また、各有機ＥＬ表示素子における各走査電極２は、第２のエージング接続用配線としての走査電極接続配線６によって、有機ＥＬ表示装置１００の右辺（ガラス基板において、有機ＥＬ表示素子７に対して、走査電極引き回し配線１１が形成される領域とは反対側の領域の辺）を介して第２の共通配線４に接続される。全ての第２の共通配線４は、ガラス基板上の図２の図示範囲外の部分で電気的に接続される。
【００３０】
　従って、１枚の大型のガラス基板上で、全ての矩形の基板における第１のエージング用配線としてのデータ電極接続配線５が第１の共通配線３を介して電気的に接続され、全ての矩形の基板における第２のエージング用配線としての走査電極接続配線６が第２の共通配線４を介して電気的に接続される。よって、切断工程前において、全ての有機ＥＬ表示装置１００における各走査電極２に、第２の共通配線４から同じ信号を供給することがで
きる。また、切断工程前において、全ての有機ＥＬ表示装置１００における各データ電極１に、第１の共通配線３から同じ信号を供給することができる。その結果、多数の有機ＥＬ表示装置１００に対して一括してエージング処理を実施することができる。
【００３１】
　第１の共通配線３とデータ電極接続配線５との接続は、切断工程において分断される。また、第２の共通配線４と走査電極接続配線６の接続も、切断工程において分断される。」
ｂ　図面の記載
「【図２】
　　　　　　　　　　　　　　　　　　　　　　　　　　　　　　　」
　図２の有機ＥＬ表示素子の記載からして、各有機ＥＬ表示素子７のデータ電極１に接続された各データ接続配線５が一つの第１共通配線３に接続されていることが記載されている。
　
５　対比
（１）引用発明における「ガラス基板」、「データ電極１」、「走査電極２」が、本件補正発明の「基板」、「第１電極」、「第２電極」にそれぞれ相当する。
　そうすると、引用発明の「１枚のガラス基板上形成される複数の有機ＥＬ表示装置であって、有機ＥＬ表示素子７の領域において、データ電極１及び走査電極２が交差」した構成は、本件補正発明の「基板上に形成され、第１電極及び第２電極の交差領域に形成された少なくとも一つの発光領域を含むピクセル回路部」を含む構成に相当する。
　
（２）引用発明の「データ電極引き回し配線１０」が、本件補正発明の「第１配線」に相当する。
　そうすると、引用発明の「ドライバＩＣ８のデータ出力端子と各データ電極１とはデータ電極引き回し配線１０で接続され」た構成は、本件補正発明の「第１電極の第１終端に接続された少なくとも一つの第１配線」を含む構成に相当する。
　
（３）引用発明の「データ電極接続配線５」は、本件補正発明の「第１補助配線」に相当する。
　引用発明の「データ電極１は、データ電極接続配線５によって、有機ＥＬ表示装置１００の上辺を介して第１の共通配線３に接続され」る構成は、本件補正発明の「第１電極の第２終端に接続された少なくとも一つの第１補助配線」を含む構成に相当する。
　
（４）引用発明の「第１の共通配線３」、「データ電極接続配線部３１」は、本件補正発明の「第２補助配線」の「終端に」「形成された」「連結棒」、「第２補助配線」に相当する。
　そうすると、引用発明の「有機ＥＬ表示装置１００の領域において、第１の共通配線３とデータ電極接続配線部３１が接続され」る構成と、本件補正発明の「仮想スクライブラインにより区分された前記母基板の各領域内において、終端に１つの連結棒だけが形成された少なくとも一つの第２補助配線」を含む構成とは、「仮想スクライブラインにより区分された前記母基板の各領域内において、終端に連結棒が形成された少なくとも一つの第２補助配線」を含む構成で一致する。
　
（５）引用発明の「走査電極引き回し配線１１」は、本件補正発明の「第２配線」に相当する。
　そうすると、引用発明の「ドライバＩＣ８の走査出力端子と各走査電極２とは走査電極引き回し配線１１で接続され」る構成は、本件補正発明の「ピクセル回路部の第２電極に接続された少なくとも一つの第２配線」を含む構成に相当する。
　
（６）引用発明の「走査電極接続配線６」、「第２の共通配線４」が、本件補正発明の「ダミー配線」、「ダミー配線」の「終端に」「形成された」「連結棒」に相当する。
　そうすると、引用発明の「有機ＥＬ表示装置１００の領域内に残る走査電極接続配線６が、第２の共通配線４に接続され、有機ＥＬ表示素子７及び他の配線と接触」しない構成は、本件補正発明の「仮想スクライブラインにより区分された前記母基板の各領域内において、ピクセル回路部及び他の配線と接触しないように配置され、終端に連結棒が形成された少なくとも一つのダミー配線」を含む構成に相当する。
　
（７）引用発明の「第１の共通配線３は有機ＥＬ表示装置１００の下辺を介して、データ電極接続配線５及びデータ電極接続配線部３１によってデータ電極１に接続され」る構成は、本件補正発明の「少なくとも一つの第２補助配線は、前記第２補助配線の連結棒から延長され、隣接するパネルの第１電極に接続する」構成に相当する。
　
（８）引用発明の「有機ＥＬ表示装置」が、本件補正発明の「表示素子モジュール」に相当する。
　
　上記（１）〜（８）の点から、本件補正発明と引用発明は、
「基板上に形成され、第１電極及び第２電極の交差領域に形成された少なくとも一つの発光領域を含むピクセル回路部と、
　前記第１電極の第１終端に接続された少なくとも一つの第１配線と、
　前記第１電極の第２終端に接続された少なくとも一つの第１補助配線と、
　前記仮想スクライブラインにより区分された前記母基板の各領域内において、終端に連結棒が形成された少なくとも一つの第２補助配線と、
　前記ピクセル回路部の第２電極に接続された少なくとも一つの第２配線と、
　前記仮想スクライブラインにより区分された前記母基板の各領域内において、ピクセル回路部及び他の配線と接触しないように配置され、終端に連結棒が形成された少なくとも一つのダミー配線と
を含み、
　前記少なくとも一つの第２補助配線は、前記第２補助配線の連結棒から延長され、隣接するパネルの第１電極に接続する
ことを特徴とする表示素子モジュール。」
で一致し、以下の点で相違する。
　
（相違点）
　仮想スクライブラインにより区分された母基板の各領域内において、第２補助配線の終端に形成されたものが、本件補正発明は、１つの連結棒だけであるのに対し、引用発明は、単に連結棒であると特定している点。
　
６　当審の判断
　以下、上記相違点について検討する。
　有機ＥＬ表示素子のデータ電極に接続された各データ電極接続配線を一つだけの第１共通配線に接続することが、引用例２（図２参照。）に記載されている。
　そして、引用発明と引用例２記載の発明は、いずれも効率的なエージング処理を行う有機ＥＬ装置である点で共通する技術分野のものであるから、引用発明において、有機ＥＬ表示素子のデータ電極に接続されたデータ電極接続配線部を一つだけの第１の共通配線に接続することにより、上記相違点に係る本件補正発明の発明特定事項を得ることは、当業者が容易になしえたことである。
　
　相違点については上記のとおりであり、本件補正発明によってもたらされる効果は、引用発明及び引用例２に記載された発明から当業者が当然に予測できる範囲内のものと認められる。
　よって、本件補正発明は、引用発明及び引用例２に記載された発明に基いて、当業者が容易に発明をすることができたものであるから、特許法第２９条第２項の規定により特許出願の際独立して特許を受けることができない。
　
７　本件補正についての補正の却下の決定のむすび
　以上のとおり、本件補正は、平成１８年改正前特許法第１７条の２第５項において準用する同法第１２６条第５項の規定に違反するものであるから、同法第１５９条第１項において読み替えて準用する同法第５３条第１項の規定により却下すべきものである。
　
第３　本願発明について
１　本願発明
　平成２４年３月１９日付けの手続補正は上記のとおり却下されたので、本願の特許請求の範囲の請求項１４に係る発明は、平成２３年１１月８日付け手続補正により補正された特許請求の範囲の請求項１４に記載されたとおりのものである。（上記「第２」［理由］「１」参照。）
　
２　引用刊行物
　原査定の拒絶の理由に引用された本願の優先日前に頒布された刊行物及びその記載事項、ならびに引用発明は、上記「第２」［理由］「４」に記載したとおりである。
　
３　対比及び当審の判断
　本願発明は、上記「第２」［理由］「１」及び「２」で検討したとおり、本件補正発明の構成要素である「少なくとも一つの第２補助配線」の「終端に連結棒が形成された」箇所が、「仮想スクライブラインにより区分された前記母基板の各領域内」である構成を除き、本件補正発明の構成要素である「少なくとも一つの第２補助配線」の「終端に」「形成された」「連結棒」が、「１つ」「だけ」である構成を除き、本件補正発明の構成要素である「少なくとも一つのダミー配線」が「配置され、」かつ、その「終端に連結棒が形成され」る箇所が、「仮想スクライブラインにより区分された前記母基板の各領域内」である構成を除いたものである。
　ここで、本願発明の発明特定事項を全て含み、上記構成要素で限定した本件補正発明が、上記「第２」［理由］「５」に記載した相違点でのみ引用発明と相違するものであり、さらに、本願発明は、本件補正発明における上記相違点に係る構成を含まないものであるから、本願発明と引用発明に相違点はない。
　したがって、本願発明は引用発明である。
　
４　むすび
　以上のとおり、本願発明は、引用発明であるから特許法第２９条第１項第３号に該当し、特許を受けることができない。
　よって、結論のとおり審決する。